(57)【特許請求の範囲】
【請求項１】
固定部材に配設された第１係合部材と扉体に配設された第２係合部材とが、該第２係合部材に固着された軸棒の、前記第１係合部材への挿入によって連設される扉開閉装置であって、前記第１係合部材への前記軸棒の挿入の際に、この軸棒の作用により前記第１係合部材に対して移動するように配設される一方、前記第１係合部材の一方端に形成された円筒状の湾曲部内に前記軸棒に平行に配設されるコイルスプリングにより前記軸棒の挿入を阻止するように配設される移動部材を備え、
前記移動部材は、前記第１係合部材の一方端に形成された円筒状の湾曲部に沿って移動可能な回転キャップであり、
前記コイルスプリングは、その一端が前記回転キャップの切欠き部に係合する一方、その他端が前記円筒状の湾曲部の最下端に固定された固定キャップの突設部に係合する第１弾性部材であって、前記回転キャップに付勢力を付与して、この回転キャップが前記湾曲部に形成される隙間を閉塞するように作用するとともに、前記軸棒が前記隙間を介して挿入されるのを阻止するように作用する第１弾性部材であることを特徴とする扉開閉装置。
【請求項２】
固定部材に配設された第１係合部材と扉体に配設された第２係合部材とが、該第２係合部材に固着された軸棒の、前記第１係合部材への挿入によって連設される扉開閉装置であって、前記第１係合部材への前記軸棒の挿入の際に、この軸棒の作用により前記第１係合部材に対して移動するように配設される一方、その自重により又は前記第１係合部材の一方端に形成された円筒状の湾曲部内に前記軸棒に平行に配設されるコイルスプリングにより前記軸棒の挿入を阻止するように配設される移動部材を備え、
前記移動部材は、前記第１係合部材の一方端に形成された円筒状の湾曲部の、その円筒軸方向に沿って移動可能な可動片であり、
前記コイルスプリングは、前記可動片に付勢力を付与して、この可動片が前記湾曲部の隙間に形成される開口部を閉塞するように作用するとともに、前記軸棒が前記開口部を介して挿入されるのを阻止するように作用する第２弾性部材であることを特徴とする扉開閉装置。
【請求項３】
前記回転キャップが所定位置で保持される時には、当該回転キャップに形成された凸部が前記第１係合部材の固定ブロックに形成された凹部に嵌入するとともに、前記回転キャップは、前記嵌入状態を保持すべく第３弾性部材によって付勢されることを特徴とする請求項１に記載の扉開閉装置。
【発明の詳細な説明】
【０００１】
【発明が属する技術分野】
本発明は、家具や建具等に設けられる扉体を開閉するための扉開閉装置に関する。
【０００２】
【従来の技術】
家具や建具等の固定部材に扉体を取り付けるための扉開閉装置は種々のものがある。これらのうちで当該取付作業の向上を図ったものとして、特開平１１−１０７６０９号公報に開示のものがある。
この公報に開示の装置では、図１０，１１に示すように、戸体側部材１０１ａの先端部に、軸１０２が下向きに垂直に突出した状態で設けられる一方、枠体側部材１０１ｂの先端部に、軸１０２を回動可能に支持するための上向きに開放した軸受１０３が設けられ、この軸受１０３に、軸１０２を横方向（水平方向）から軸受１０３内に挿入する挿入口１０４が設けられるとともに、この挿入口１０４を開閉する蓋体１０５が横回動可能に設けられている。
また、この装置の改良装置では、図１０〜１２に示すように、軸１０２を軸受１０３の挿入口１０４から挿入して戸体Ｂを枠体Ａに吊り込む戸体取付時に、蓋体１０５を自動的に閉めるために、閉操作部材１０６が、戸体側部材１０１ａに設けられている。そして、この閉操作部材１０６は、戸体側部材１０１ａの先端部下端部に装着されるキャップ（図示せず）に下向きに突出して一体形成される一方、蓋体１０５の外面部には、「し」の字状に隆起した操作部１０７が形成され、操作部１０７に閉操作部材１０６が戸体Ｂの閉動作時に当接し、戸体Ｂの閉動作と連動して蓋体１０５が閉方向へ回動操作されるようになる。
【０００３】
【発明が解決しようとする課題】
上述の装置は、取付作業の向上が図られているが、当該取付作業をワンタッチで行えない煩わしさがある。
即ち、上述の装置では、軸を横方向（水平方向）から挿入口を介して軸受内に挿入する場合に、この挿入口を開閉する蓋体を手動によって開閉操作しなければならない煩わしさがある。
また、その改良装置では、蓋体を自動的に閉める構成が採られているが、この構成では、閉操作部材が操作部に当接しなくては当該操作部、即ち、蓋体にその閉方向の力を付与できないため、図１２（Ｂ）において、閉操作部材が同図中の範囲Ｐにある場合には、蓋体を自動的に閉めることが可能であるが、範囲Ｑの場合には不可能であり、取付作業に際しては閉操作部材と操作部との位置に配慮しつつ作業しなければならない。しかも、閉操作部材が上記範囲Ｐにあっても、戸体の閉動作と連動させなければ蓋体を自動的に閉めることができないという煩わしさがある。
【０００４】
本発明の目的は、家具や建具等の固定部材に扉体を取り付けるための取付作業をワンタッチで行える扉開閉装置を提供することにある。
【０００５】
【課題を解決するための手段】
上記課題を解決するために、本発明の請求項１に係る扉開閉装置は、固定部材に配設された第１係合部材と扉体に配設された第２係合部材とが、この第２係合部材に固着された軸棒の、第１係合部材への挿入によって連設される扉開閉装置であり、第１係合部材への軸棒の挿入の際に、この軸棒の作用により第１係合部材に対して移動するように配設される一方、前記第１係合部材の一方端に形成された円筒状の湾曲部内に前記軸棒に平行に配設されるコイルスプリングにより軸棒の挿入を阻止するように配設される移動部材を備え、前記移動部材は、前記第１係合部材の一方端に形成された円筒状の湾曲部に沿って移動可能な回転キャップであり、前記コイルスプリングは、その一端が前記回転キャップの切欠き部に係合する一方、その他端が前記円筒状の湾曲部の最下端に固定された固定キャップの突設部に係合する第１弾性部材であって、前記回転キャップに付勢力を付与して、この回転キャップが前記湾曲部に形成される隙間を閉塞するように作用するとともに、前記軸棒が前記隙間を介して挿入されるのを阻止するように作用する第１弾性部材である。
【０００６】
上記請求項１に係る扉開閉装置においては、上記移動部材を、第１係合部材の一方端に形成された円筒状の湾曲部に沿って移動可能な回転キャップとし、上記コイルスプリングを、前記第１係合部材の一方端に形成された円筒状の湾曲部内に前記軸棒に平行に配設し、当該コイルスプリングの一端を前記回転キャップの切欠き部に係合させる一方、当該コイルスプリングの他端を前記円筒状の湾曲部の最下端に固定された固定キャップの突設部に係合させることにより、回転キャップに付勢力を付与して、この回転キャップが第１係合部材の湾曲部に形成される隙間を閉塞するように作用するとともに、軸棒が上記隙間を介して挿入されるのを阻止するように作用する、例えば捩りバネのような第１弾性部材とするもので、この装置によれば、軸棒を、回転キャップに当接させ、第１係合部材の円筒状の湾曲部に形成される隙間に押し込むだけで、家具や建具等の固定部材に扉体を取り付けることができるので、この取付作業をワンタッチで行える。
【０００７】
また、本発明の請求項２に係る扉開閉装置は、固定部材に配設された第１係合部材と扉体に配設された第２係合部材とが、該第２係合部材に固着された軸棒の、前記第１係合部材への挿入によって連設される扉開閉装置であって、前記第１係合部材への前記軸棒の挿入の際に、この軸棒の作用により前記第１係合部材に対して移動するように配設される一方、その自重により又は前記第１係合部材の一方端に形成された円筒状の湾曲部内に前記軸棒に平行に配設されるコイルスプリングにより前記軸棒の挿入を阻止するように配設される移動部材を備え、上記移動部材を、第１係合部材の一方端に形成された円筒状の湾曲部の、その円筒軸方向に沿って移動可能な可動片とし、上記コイルスプリングを、可動片に付勢力を付与してこの可動片が第１係合部材の湾曲部の隙間に形成される開口部を閉塞するように作用するとともに、軸棒が上記開口部を介して挿入されるのを阻止するように作用する第２弾性部材とするもので、この装置によれば、軸棒を、可動片に当接させ、第１係合部材の円筒状の湾曲部の隙間に形成される開口部に挿入するだけで、家具や建具等の固定部材に扉体を取り付けることができるので、この取付作業をワンタッチで行える。
【０００８】
また、本発明の請求項３に係る扉開閉装置は、回転キャップが所定位置で保持される時には、当該回転キャップに形成された凸部が上記第１係合部材の固定ブロックに形成された凹部に嵌入するとともに、回転キャップは、上記嵌入状態を保持すべく、例えば圧縮バネのような第３弾性部材によって付勢されるようにしたものである。したがって、回転キャップを所定位置で保持しておく必要がある場合、即ち、扉体の取外作業の場合等には、当該作業を容易に行える。
尚、場合によっては、回転キャップを保持した状態で、上記取付作業を行うこともできる。
ところで、回転キャップが保持される所定位置は、上記取付作業をワンタッチで行う際に移動する回転キャップの移動域との相対位置が考慮される。
また、第３弾性部材については、上記請求項１で用いた第１弾性部材を用い、この第１弾性部材に圧縮バネ機能を併せ持たせるようにしてもよい。
【０００９】
【発明の実施の形態】
本発明の第１の実施の形態に係る扉開閉装置を図１〜５を参照して説明する。
本扉開閉装置１では、図１に示すように、固定部材（図示せず）に配設された第１係合部材２と扉体（図示せず）に配設された第２係合部材３とを連設する場合、第２係合部材３に固着された軸棒４を第１係合部材２にワンタッチで挿入できる工夫が施されている。尚、本扉開閉装置１は、固定部材及び扉体に所定間隔をあけて配設される扉開閉装置のうち一方の扉開閉装置であり、本実施の形態では、固定部材及び扉体の上方に配設されている。
【００１０】
本扉開閉装置１の構成を図１及び２を参照して説明する。
本装置１は、図１に示すように、第１係合部材２及び第２係合部材３並びにこれら部材を連設するための連結部材を備えており、このうち第１係合部材２は、取付プレート５に加えて、本実施の形態では、ケース体６及び調整プレート７を備え、取付プレート５は、固定部材に固着されたケース体６上を、カム機構８によって調整プレート７とともに前後方向（同図の矢印方向）に移動する一方、調整ボルト９によって左右方向（同図に対し垂直方向）に移動して、それぞれの方向に対する調整ができるようになっている。そして、略板状をなす上記取付プレート５の一方端には、円筒状の湾曲部５ａが形成され、この湾曲部５ａには、後に詳述する連結部材が配設されている。
また、第２係合部材３は、本実施の形態では、取付プレート１０のみで構成され、この取付プレート１０の一方端には、円筒体１０ａが形成され、この円筒体１０ａには、同図中の下端に連結部材としての上記軸棒４及びカバー１１ａが固着され、その上端に連結部材としてのキャップ１１ｂが嵌挿されている。
【００１１】
取付プレート５の湾曲部５ａに配設される連結部材は、図２に示すように、移動部材としての回転キャップ１２、固定プロック１３、コイルスプリング（第１，３弾性部材）１４及び固定キャップ１５で構成されている。
このうち回転キャップ１２は、最上端に略Ｓ字状断面部１６ａを有する上部１６と、略円筒状で、その最下端外周に一対の突設部（凸部）１７ａを有するとともに、当該最下端から上方に向かって切欠き部１７ｂを有する下部１７とで構成される。また、固定プロック１３は、略パイプ状の円筒部１８ａ及びこの円筒部１８ａの側壁面の一部に突設された凸嵌合部１８ｂを有し、円筒部１８ａの底に一対の係止部（凹部）１８ｃを有する下部１８と、この下部１８から上方に延出して最上端に略Ｃ字状断面部１９ａを有する上部１９とで構成される。また、固定キャップ１５は、一対の略半円柱状の突設部２０ａが固着された円板部２０と、この円板部２０上に、上方に向かって上記突設部２０ａを包囲する態様で配される略パイプ状の円柱部２１とで構成され、この円柱部２１及び円板部２０の側壁面の一部に凹嵌合部２１ａが突設されている。
【００１２】
このような連結部材において、固定キャップ１５は、取付プレート５の湾曲部５ａの最下端に圧入などして固定され、固定プロック１３は、その凸嵌合部１８ｂが固定キャップ１５の凹嵌合部２１ａに当接してなるように、当該湾曲部５ａ内に圧入または接着等の方法により所定位置に固定される。そして、回転キャップ１２は、その断面部１６ａが湾曲部５ａに緩嵌されて当該湾曲部５ａに沿って摺動（移動）可能に配設されるとともに、その下部１７の切欠き部１７ｂを狭めるように力を加えることによって下部１７が円筒部１８ａに挿通される。
【００１３】
このとき、スプリング１４は、その一端が回転キャップ１２の切欠き部１７ｂに係合する一方、その他端が固定キャップ１５の突設部２０ａに係合し、回転キャップ１２及び固定キャップ１５に対し、それらが互いに離反する方向の付勢力を付与する。これにより、回転キャップ１２は、その突設部１７ａが固定ブロック１３の円筒部１８ａの内径端に当接されて、図２中の矢印方向の付勢力が付与される。しかるに、後述するように、扉体の取外作業のときには、回転キャップ１２は、その突設部１７ａが係止部１８ｃに嵌入された状態で、上記矢印方向と同様の付勢力が付与されて保持される。また、このスプリング１４は、回転キャップ１２に対して、上記付勢力に加え、当該回転キャップ１２が湾曲部５ａに形成される隙間５ｂを閉塞するように作用する付勢力を付与しており、後述するように軸棒４が隙間５ｂを介して挿入されるのを阻止するように作用する。
【００１４】
次に、本装置１を用いて扉体の取付作業及び取外作業を行う場合の手順を図３〜５を参照して説明する。尚、図３〜５においては、固定部材や扉体は省略されている。
まず、取付作業をする場合について説明する。
回転キャップ１２に対し軸棒４を図３（Ａ）に示す位置に持って来るために、固定部材及び扉体の下方に配設される扉開閉装置（図示せず）で、扉体の下方を固定部材に係止させる。しかる後、図３（Ａ）に示すように、回転キャップ１２の、湾曲部５ａの隙間５ｂを閉塞している部位に軸棒４を当接させ、当接させた状態で力を加えて行くと、図３（Ｂ）に示すように、スプリング１４の付勢力に抗して回転キャップ１２が同図中の矢印方向に摺動する。尚、軸棒４が当接する回転キャップ１２の部位は、回転キャップ１２に対しその摺動方向への力が最も有効に付与されるように、所要の傾斜角１６ｄがつけられている。
【００１５】
ここで、回転キャップ１２の摺動動作を図４で説明する。但し、同図では、固定プロック１３は省略されている。
回転キャップ１２が摺動して図４（Ａ）の状態から（Ｃ）の状態になるに従って、スプリング１４の一端（固定キャップ１５の突設部２０ａに係合）に対し、その他端（回転キャップ１２の切欠き部１７ｂに係合）が、回転キャップ１２の回転方向（矢印方向）と同一方向に回転していく様子がわかる。
ところで、回転キャップ１２の摺動範囲、換言すれば回転範囲は、軸棒４の径より大きくなければならないのはもちろんであるが、回転キャップ１２が保持される位置、即ち、回転キャップ１２の突設部１７ａが固定プロック１３の係止部１８ｃに嵌入される位置より大きくならないように設定される。
【００１６】
このような回転キャップ１２の摺動に従って、軸棒４は、上記隙間５ｂを通って湾曲部５ａ内に、詳細には湾曲部５ａを包囲する略Ｓ字状断面部１６ａの所定湾曲部内に押し込まれる。押し込まれると、回転キャップ１２がスプリング１４の付勢力によって元の位置、即ち、隙間５ｂを閉塞する部位に戻り、軸棒４は、上述の所定湾曲部内で係止される。このようにして、本装置１を用いれば、ワンタッチで当該作業が行える。
【００１７】
ところで、場合によっては、図３（Ｃ）のように予め回転キャップ１２を保持した状態にして、上記略Ｓ字状断面部１６ａの所定湾曲部内に軸棒４を挿入し、それから回転キャップ１２の保持状態を解除するようにしても当該作業は行える。
【００１８】
次に、取外作業をする場合には、図３（Ｃ）のように回転キャップ１２を保持した状態にして軸棒４を取り外せばよい。
ここで、回転キャップ１２を保持させるしかたを図５を参照して説明する。
回転キャップ１２を保持させるためには、回転キャップ１２の操作部１６ｂに力を加えスプリング１４の付勢力に抗して回転キャップ１２を摺動させ、その断面部１６ａの奥部１６ｃが湾曲部５ａの先端５ｃに当接したところで（図２及び図３（Ｃ）を参照）、操作部１６ｂに加えた力を解除すると、回転キャップ１２と固定プロック１３とは図５に示すような位置で、回転キャップ１２の突設部１７ａが固定プロック１３の係止部１８ｃに嵌入される。そして、回転キャップ１２は、スプリング１４からの押し上げ力（付勢力）を受け、上記嵌入状態で保持される。
尚、この保持を解除するためには、回転キャップ１２の操作部１６ｂに力を加えスプリング１４の付勢力に抗して同図中の矢印方向に押し下げながら、操作部１６ｂに加えた力を解除すればよい。このとき、回転キャップ１２は、スプリング１４の付勢力によって図３（Ａ）に示す位置に戻る。
【００１９】
次に、本発明の第２の実施の形態に係る扉開閉装置を図６，７を参照して説明する。尚、図６，７において、図１〜５の構成部材と同一の部材には同一番号を付し、その説明は割愛する。
本扉開閉装置３０が扉開閉装置１と異なるところは、扉開閉装置１では回転キャップ１２を取付プレート５の湾曲部５ａに沿って摺動させることにより軸棒４を挿入する態様を採ったが、本扉開閉装置３０では、後述の可動片３１を固定片３２の湾曲板３７ｂの、その円弧軸方向に沿って摺動（第１係合部材の円筒状の湾曲部の、その円筒軸方向に沿って移動）させることにより軸棒４を挿入する態様を採ったものである。
したがって、本扉開閉装置３０では、その取付プレート５の湾曲部５ａに配設される連結部材は、図６に示すように、移動部材としての上記可動片３１、固定片３２、コイルスプリング（第２弾性部材）３３で構成されている。
【００２０】
このうち可動片３１は、一方側が有底の中空短円筒３４ａに当該短円筒３４ａの軸に偏心して設けられた脚３４ｂを有する部材３４と、肉抜きが施された矩形面３５ａを有する略３角柱状の部材３５とが並列的に連接された樹脂製の部材であり、部材３５では、矩形面３５ａとの交叉面の一つが円弧状に加工されて円弧面３５ｂをなし、この円弧面３５ｂと部材３４との間に所定の隙間３６が、上記短円筒３４ａの軸に平行に形成されている。更に、上記円弧面３５ｂと反対側の傾斜面もまた円弧状に加工されて円弧面３５ｃをなし、この円弧面３５ｃの両端には面取りが施されている。
一方、固定片３２は、円板部材３７ａの一部周縁に沿って垂設された円弧状の湾曲板３７ｂを有する部材３７と、開口部３８ａが設けられた中空円筒状の部材３８とが直列的に連接された部材であり、部材３７の湾曲板３７ｂには、切欠き３９が形成されるとともに、この切欠き３９に略対向する湾曲板３７ｂの端部は、部材３８の開口部３８ａの直上のところまで垂下している。
【００２１】
このような連結部材において、固定片３２は、取付プレート５の湾曲部５ａに、この隙間５ｂの位置に固定片３２の開口部３８ａが配され、その部材３８のところで圧入される。そして、可動片３１は、当該可動片３１の隙間３６に固定片３２の湾曲板３７ｂが緩挿され、当該可動片３１の円弧面３５ｂが湾曲板３７ｂの、その円弧軸方向に沿って摺動できるような態様で湾曲部５ａに配設される。このとき、スプリング３３が、固定片３２の円板部材３７ａと可動片３１の短円筒３４ａとの間に、可動片３１を図６中の矢印方向に付勢して介装される。この状態における可動片３１は、その短円筒３４ａの有底部が部材３８の端面３８ｂに当接する状態となって上記開口部３８ａを閉塞するように作用し、後述するように軸棒４がこの開口部３８ａを介して挿入されるのを阻止するように作用する。
【００２２】
本装置３０を用いて扉体の取付作業及び取外作業を行う場合の手順を図７を参照して説明する。尚、図７においては、固定部材や扉体は省略されている。
まず、取付作業をする場合について説明する。
可動片３１に対し軸棒４を図７（Ａ）に示す位置に持って来るために、固定部材及び扉体の下方に配設される扉開閉装置（図示せず）で、扉体の下方を固定部材に係止させる。しかる後、図７（Ａ）に示すように、上述のように軸棒４の挿入を阻止する可動片３１に対し、その円弧面３５ｃに軸棒４を当接させ、当接させた状態で力を加えて行くと、図７（Ｂ）に示すように、スプリング３３の付勢力に抗して可動片３１が同図中の矢印方向の分力により湾曲板３７ｂに沿って摺動する。尚、円弧面３５ｃの傾斜角度は、可動片３１に作用する軸棒４の力の摺動方向への分力が最も有効に付与されるように選定する必要がある。
【００２３】
このような可動片３１の摺動に連れて、軸棒４は、上記開口部３８ａを通って固定片３２内に、即ち湾曲部５ａ内に挿入される。挿入されると、可動片３１がスプリング３３の付勢力によって元の位置、即ち、開口部３８ａを閉塞する部位に戻り、軸棒４は、湾曲部５ａ内で係止される。このようにして、本装置３０を用いれば、ワンタッチで当該作業が行える。
また、取外作業をする場合には、可動片３１をスプリング３３の付勢力に抗して図７（Ｂ）中の矢印方向に摺動させて軸棒４を取り外せばよい。このとき、可動片３１は、スプリング３３の付勢力によって開口部３８ａを閉塞する部位に戻り、図７（Ａ）の状態になる。
【００２４】
次に、本発明の第３の実施の形態に係る扉開閉装置を図８，９を参照して説明する。尚、図８，９において、図１〜７の構成部材と同一の部材には同一番号を付し、その説明は割愛する。
本扉開閉装置４０が扉開閉装置３０と異なるところは、扉開閉装置３０では、スプリング３３により軸棒４の挿入を阻止する態様を採ったが、本扉開閉装置４０では、後述する可動片４１の自重により軸棒４の挿入を阻止する態様を採ったものである。
したがって、本扉開閉装置４０において、その連結部材は、図８に示すように、移動部材としての上記可動片４１及び蓋体４２のみで構成されている。但し、これに関連して本扉開閉装置４０では、取付プレート５の代わりに取付プレート４３を用いている。
【００２５】
可動片４１は、中空円筒状の部材４４に、この部材４４の略中央から下端で、且つ、外周円弧面に、肉抜きが施された矩形面４５ａを有する略３角柱状の部材４５が付設されたような形態の部材であり、このうちの部材４４には、その軸方向に長さが略等しい大径部４４ａと小径部４４ｂとが穿設される一方、その上端から上記矩形面４５ａの近傍に至るところに、当該部材４４の軸方向に平行にスリット４４ｃが設けられるとともに、このスリット４４ｃは、その延長線が部材４５に対しいくらかズレた位置に設けられている。また、部材４５には、上記矩形面４５ａとの交叉面の一つに円弧状面が加工され、この円弧状面を介して当該部材４５が、上述のように部材４４に付設された態様をなす。更に、部材４５には、上記円弧面と反対側の傾斜面に円弧面４５ｂが加工され、この円弧面４５ｂの両端には面取りが施されている。一方、蓋体４２は、薄円板状の部材４２ａに細長円筒状の部材４２ｂを垂設した部材である。
ところで、本扉開閉装置４０では、上述のように取付プレート４３を用いており、この取付プレート４３は、略板状の一方端を切り欠いて突出部４６を形成し、この突出部４６の先端部に円筒状の湾曲部４６ａが形成されるようにしたものである。尚、湾曲部４６ａには、取付プレート５の湾曲部５ａと異なり、隙間５ｂのようなものは形成されていない。
【００２６】
このような連結部材において、可動片４１は、その大径部４４ａ内に湾曲部４６ａが緩挿されるとともに、そのスリット４４ｃに突出部４６の基端部４６ｂが緩挿される。そして、蓋体４２は、その部材４２ｂが、大径部４４ａ内に緩挿された湾曲部４６ａに緩挿される一方、その部材４２ａが部材４４の端面に、例えば接着剤等で固着される。したがって、可動片４１は、取付作業を始める前は、部材４２ａが湾曲部４６ａの端面に当接した状態で自重により垂れ下がっている（図９（Ａ）参照）。
【００２７】
本装置４０を用いて扉体の取付作業及び取外作業を行う場合の手順を図９を参照して説明する。尚、図９においては、固定部材や扉体は省略されている。
まず、取付作業をする場合について説明する。
可動片４１に対し軸棒４を図９（Ａ）に示す位置に持って来るために、固定部材及び扉体の下方に配設される扉開閉装置（図示せず）で、扉体の下方を固定部材に係止させる。しかる後、図９（Ａ）に示すように、軸棒４の挿入を阻止する可動片４１に対し、その円弧面４５ｂに軸棒４を当接させ、当接させた状態で力を加えて行くと、図９（Ｂ）に示すように、可動片４１の自重に抗して可動片４１が同図中の矢印方向の分力により突出部４６の基端部４６ｂを摺動する。尚、円弧面４５ｂの傾斜角度は、上述同様に、可動片４１に作用する軸棒４の力の摺動方向への分力が最も有効に付与されるように選定する必要がある。
【００２８】
このような可動片４１の摺動に連れて、軸棒４は、可動片４１を押し上げて当該可動片４１の小径部４４ｂ内に挿入される。挿入されると、可動片４１がその自重によって元の状態、即ち、部材４２ａが湾曲部４６ａの端面に当接した状態に戻り、軸棒４は、可動片４１内で係止される。このようにして、本装置４０を用いれば、極めて簡便な装置によってワンタッチで当該作業が行える。
また、取外作業をする場合には、可動片４１をその自重に抗して図９（Ｂ）中の矢印方向に摺動させて軸棒４を取り外せばよい。このとき、可動片４１は、その自重によって部材４２ａが湾曲部４６ａの端面に当接した状態に戻り、図９（Ａ）の状態になる。
【００２９】
ところで、上述した第１〜３の実施の形態では、装置１，３０，４０が固定部材及び扉体の上方に配設されている場合について説明したが、固定部材及び扉体の下方に配設される場合であっても、同様に当該取付作業をワンタッチで行える。
また、上述した第１〜３の実施の形態では、第２係合部材３に固着された軸棒４を、第１係合部材２へ挿入する態様について説明したが、第１係合部材に軸棒４を固着し、この軸棒４に対して第２係合部材３が挿入されるようにする態様であっても、同様に当該取付作業をワンタッチで行える。
【００３０】
【発明の効果】
本発明の扉開閉装置によれば、家具や建具等の固定部材に扉体を取り付けるための取付作業をワンタッチで行える。
【図面の簡単な説明】
【図１】  第１の実施の形態に係る扉開閉装置の一部断面構成図である。
【図２】  図１の取付プレート及びその連結部材の分解斜視図である。
【図３】  第１の実施の形態に係る装置の、取付作業時での動作説明図である。
【図４】  図３の分解斜視図である。
【図５】  第１の実施の形態に係る装置の、取外作業時での動作説明図である。
【図６】  第２の実施の形態に係る扉開閉装置の取付プレート及びその連結部材の分解斜視図である。
【図７】  第２の実施の形態に係る装置の動作説明図である。
【図８】  第３の実施の形態に係る扉開閉装置の取付プレート及びその連結部材の分解斜視図である。
【図９】  第３の実施の形態に係る装置の動作説明図である。
【図１０】  従来の扉開閉装置の構成図である。
【図１１】  従来の扉開閉装置の斜視図である。
【図１２】  従来の改良された扉開閉装置の動作説明図である。
【符号の説明】
１，３０，４０      扉開閉装置
２                  第１係合部材
３                  第２係合部材
４                  軸棒
５，４３            取付プレート（第１係合部材）
５ａ                湾曲部
５ｂ                隙間
１２                回転キャップ（移動部材）
１３                固定ブロック
１４                スプリング（第１弾性部材及び第３弾性部材）
１７ａ              突設部（凸部）
１８ｃ              係止部（凹部）
３１，４１          可動片（移動部材）
３３                スプリング（第２弾性部材）
３８ａ              開口部
【図１】
0003746198.tif 000002
【図２】
0003746198.tif 000003
【図３】
0003746198.tif 000004
【図４】
0003746198.tif 000005
【図５】
0003746198.tif 000006
【図６】
0003746198.tif 000007
【図７】
0003746198.tif 000008
【図８】
0003746198.tif 000009
【図９】
0003746198.tif 000010
【図１０】
0003746198.tif 000011
【図１１】
0003746198.tif 000012
【図１２】
0003746198.tif 000013